(57)【要約】【課題】親指人差指間の空間部と同じ形状に湾曲してなる親指・人差指置き部と、親指・人差指置き部の前下方が筆記具と中指の当接個所まで延設されて中指の一部を支持する中指置き部と、筆記具を固定する締結部とを備え、親指と人差し指を物理的に隔てて互いに近づかせない執筆校正具を提供する。【解決手段】湾曲した曲面状を呈するボディと、前記ボディの上方に親指と人差指が筆記具を把持した状態で親指と人差指との間の空間部と同一状に湾曲形成されて親指と人差指を筆記具に密着させず、ボディの上部面に接面する親指・人差指密着防止部と、親指・人差し指密着防止部の下方の側壁面に親指と人差指がそれぞれ置かれる親指・人差指置き部と、ボディの前下方が筆記具と中指の当接個所まで下方に向けて延設して中指の一部を支持する中指置き部と、ボディに筆記具を所定の角度に固定する締結部と、を備える。
2006518679.tif 000002
【特許請求の範囲】
【請求項１】
湾曲した曲面状を呈するボディと、
前記ボディの上方に親指と人差し指が筆記具を把持した状態で親指と人差し指との間に形成される空間部と同一状に湾曲形成されて親指と人差し指が筆記具に密着することを防ぎ、ボディの上部面に接面する親指・人差し指密着防止部と、
前記親指・人差し指密着防止部の下方の側壁面に親指と人差し指がそれぞれ置かれる親指・人差し指置き部と、
前記ボディの前下方が前記筆記具と中指の当接個所まで下方に向けて延設して前記中指の一部を支持する中指置き部と、
前記ボディに筆記具を所定の角度に固定する締結部と、を備えることを特徴とする執筆校正具。 
【請求項２】
前記中指置き部から側方に向けて延設して前記親指を支持する親指支持部をさらに備えることを特徴とする請求項１記載の執筆校正具。 
【請求項３】
前記締結部は、前記ボディを所定の傾斜をもって貫通することにより筆記具が挿着される挿通孔よりなることを特徴とする請求項１または２記載の執筆校正具。 
【請求項４】
前記締結部は、前記筆記具の外周面が前記ボディの一側面から強制に挿入されるように前記ボディの一側端面上に所定の角度に形成される切り欠き溝よりなることを特徴とする請求項１記載の執筆校正具。 
【請求項５】
前記切り欠き溝は、前記親指・人差し指置き部のうち人差し指につながる側面部または前記ボディの下端面上に形成されることを特徴とする請求項４記載の執筆校正具。 
【請求項６】
前記挿通孔には、前記筆記具の外周面との当接個所に筆記具の滑り止めを行うための棒状、網状、円状、半円状またはスパイラル状の突起部を有する滑り止め部が形成されることを特徴とする請求項３記載の執筆校正具。 
【請求項７】
前記切り欠き溝には、前記筆記具の外周面との当接個所に筆記具の滑り止めを行うための棒状、網状、円状、半円状またはスパイラル状の突起部を有する滑り止め部が形成されることを特徴とする請求項４または５記載の執筆校正具。
【請求項８】
前記ボディは、外周面が前記親指と当接する第１のボディと、外周面が前記人差し指と当接する第２のボディと、をさらに備え、前記第１のボディ及び第２のボディの内周面上にはそれぞれ凹部とこの凹部と対応する凸部が形成されて強制的に嵌合されることを特徴とする請求項１または２記載の執筆校正具。
【請求項９】
前記ボディは、上面を形成する第３のボディをさらに備えることを特徴とする請求項８記載の執筆校正具。 
【請求項１０】
前記第１のボディ及び第２のボディの内周面のどちらか一方には、前記筆記具の外周面に所定の弾発力を加えるための滑り止め部がさらに設けられていることを特徴とする請求項８記載の執筆校正具。 
【請求項１１】
前記滑り止め部は、所定の曲率半径を有する切り欠いた弧状の板バネ片よりなり、前記板バネ片の両端が前記第１のボディまたは第２のボディの内周面上に成形された支持部上に係止されることを特徴とする請求項１０記載の執筆校正具。 
【請求項１２】
前記第１のボディ及び第２のボディのうちどちらか一方には、前記板バネ片との対応個所に筆記具を前記板バネ片にガイド自在にガイド翼が突設されていることを特徴とする請求項８ないし１１のいずれかに記載の執筆校正具。 
【請求項１３】
前記第１のボディ及び第２のボディの外周面上には、所定の摩擦力を有するゴム材または弾性樹脂材が積層されてなる滑り止め層が形成されることを特徴とする請求項８ないし１１のいずれかに記載の執筆校正具。 
【請求項１４】
前記第１のボディ及び第２のボディの外周面上には、所定の摩擦力を有するゴム材または弾性樹脂材が積層されてなる滑り止め層が形成されることを特徴とする請求項１２記載の執筆校正具。
【請求項１５】
前記親指・人差し指置き部、中指置き部、親指支持部のうち少なくともいずれかは、親指と人差し指がそれぞれ接触する個所の上に多数の通孔及び・またはエンボスをさらに備えることを特徴とする請求項１または２記載の執筆校正具。 
【発明の詳細な説明】
【技術分野】
【０００１】
本発明は執筆校正具に係り、特に、人体工学的に湾曲したボディを有し、このボディの特定の部位別に親指、人差し指、中指が正しく置かれるように構成されることにより、執筆と同時に自然に執筆姿勢を校正することのできる執筆校正具に関する。
【背景技術】
【０００２】
周知の如く、誤った筆記具の把持方法などにより、特に子供などに指の奇形化が大いに見られ、また、指、手首、肩などにかなりの緊張を与えているのが現状である。
【０００３】
より具体的には、親指と人差し指が筆記具を把持するとき、前記親指と人差し指との間には所定の空間部ができるが、このように空間部ができるのが正常でかつ正しい筆記具の把持姿勢であると言える（図１１参照）。
【０００４】
このとき、執筆時間が長引くにつれて指先の経穴部位に力が加えられるが、これに伴い、親指と人差し指が筆記具に次第に密着され、しかも、親指と人差し指との距離も次第に短くなる。これにより、前記空間部が次第に狭まっていく（図１２参照）。
【０００５】
このような誤った執筆習慣は、上述した如く、指の奇形化の主な原因となる。この理由から、自然で且つ効率よく筆記を行うことができ、しかも長時間筆記を行っても誤った執筆習慣を持たせない執筆校正具が望まれてきている。
【発明の開示】
【発明が解決しようとする課題】
【０００６】
本発明の目的は、親指と人差し指との間に形成される空間部と同じ形状に湾曲してなる親指・人差し指置き部と、前記親指・人差し指置き部の前下方が前記筆記具と中指の当接個所まで延設されて前記中指の一部を支持する中指置き部と、筆記具を固定するための締結部と、を備え、親指と人差し指を物理的に隔てることにより、これらが互いに近づくことを未然に防ぐことのできる執筆校正具を提供することにある。
【０００７】
本発明の他の目的は、親指置き部の下方に親指を支持する親指支持部を形成し、親指・人差し指置き部、中指置き部、親指支持部の上に汗などが吸収可能な通孔を形成すると共に、指圧機能及び滑り止め機能を兼ねるエンボスを形成することにより、一層安全でかつ快適な使い方ができる執筆校正具を提供することにある。
【課題を解決するための手段】
【０００８】
上述した如き目的を達成するために、本発明に係る執筆校正具は、湾曲した曲面状を呈するボディと、前記ボディの上方に親指と人差し指が筆記具を把持した状態で親指と人差し指との間に形成される空間部と同一状に湾曲形成されて親指と人差し指が筆記具に密着することを防ぎ、ボディの上部面に接面する親指・人差し指密着防止部と、前記親指・人差し指密着防止部の下方の側壁面に親指と人差し指がそれぞれ置かれる親指・人差し指置き部と、前記ボディの前下方が前記筆記具と中指の当接個所まで下方に向けて延設して前記中指の一部を支持する中指置き部と、前記ボディに筆記具を所定の角度に固定する締結部と、を備えることを特徴とする。
【０００９】
また、前記親指の下方には、前記中指置き部から側方に向けて延設して前記親指を支持する親指支持部をさらに備えることを特徴とする。 
【００１０】
そして、前記締結部は、前記ボディを所定の傾斜をもって貫通することにより筆記具が挿着される挿通孔よりなることができる。 
【００１１】
前記締結部は、前記筆記具の外周面が前記ボディの一側面から強制に挿入されるように前記ボディの一側端面上に所定の角度に形成される切り欠き溝よりなることができる。 
【００１２】
よって、前記切り欠き溝は、前記親指・人差し指置き部のうち人差し指につながる側面部または前記ボディの下端面上に形成されることを特徴とする。 
【００１３】
前記締結部は、前記筆記具の外周面との当接個所に滑り止め部をさらに備えることを特徴とする。
【００１４】
前記滑り止め部は、前記挿通孔または切り欠き溝の内周面上に形成された所定形状の摩擦突起よりなる。
【００１５】
前記摩擦突起は、スパイラル状、円筒状または半円状に複数形成されることを特徴とする。
【００１６】
一方、前記ボディは、外周面が前記親指と当接する第１のボディと、外周面が前記人差し指及び中指と当接する第２のボディと、前記第２のボディの内部に形成され、前記締結部の一側面または両側面に形成される滑り止め部と、をさらに備え、前記第１のボディ及び第２のボディの内周面上にはそれぞれ凹部とこの凹部と対応する凸部が形成されて強制的に嵌合されることを特徴とする。
【００１７】
前記ボディは、前記第１のボディと第２のボディの上部に形成されてボディの内部に形成された締結部と滑り止め部を覆うための蓋体としての第３のボディをさらに備えることを特徴とする。 
【００１８】
一方、前記滑り止め部は、前記第１のボディ及び第２のボディの内周面のどちらか一方には、前記筆記具の外周面に所定の弾発力を加える弾性部材よりなることができる。 
【００１９】
よって、前記滑り止め部は、所定の曲率半径を有する切り欠いた弧状の板バネ片よりなり、前記板バネ片の両端が前記第１のボディまたは第２のボディの内周面上に成形された支持部上に係止されることを特徴とする。 
【００２０】
前記第１のボディ及び第２のボディの外周面上には、所定の摩擦力を有するゴム材または弾性樹脂材が積層されてなる滑り止め層がさらに形成されることを特徴とする。 
【００２１】
前記親指・人差し指置き部、中指置き部、親指支持部のうち少なくともいずれかは、親指と人差し指がそれぞれ接触する個所の上に設けられて汗を吸収・蒸発することにより快適な接触感が保持可能な多数の通孔及び・またはエンボスをさらに備えることを特徴とする。
【００２２】
上記のボディは、後述する第１ないし第４の実施例における執筆校正具と同じ概念として記述されている。また、第５の実施例におけるボディは、後述する弾性片を除く構成物を称する。
【００２３】
また、上記の親指・人差し指置き部は、前記ボディ上に親指と人差し指がそれぞれ置かれる特定の部位を言う。
【発明の効果】
【００２４】
本発明によれば、執筆校正具を把持するだけで正しい執筆習慣を見につけることができ、執筆姿勢を自然に校正することができる。さらに、執筆時における疲労感を軽減することにより、集中力の減退、指の奇形化などを未然に防止することができる。 
【発明を実施するための最良の形態】
【００２５】
以下、添付図面に基づき、本発明の好適な実施例を詳述する。但し、これらの実施例は単なる例示的なものに過ぎず、本発明の技術的な思想がこれらの実施例により限定されることはない。
【００２６】
＜第１の実施例＞
図１は、本発明の一実施例に係る執筆校正具１０の斜視図であり、図２は、図１の背面構成図であり、図３は、図２のＡ−Ａダッシュ線断面図であり、図４は、図１〜図３に示された執筆校正具１０の使用状態を示す例示図である。
【００２７】
図１ないし図４を参照すれば、執筆校正具１０は、湾曲した曲面状を呈するが、親指ｔと人差し指ｆと中指ｍが正しい把持部位、すなわち、親指置き部１１、人差し指置き部１２、中指置き部１４を自然に把持可能に人体工学的に湾曲している。
【００２８】
具体的には、執筆校正具１０の上面には、親指ｔと人差し指ｆが筆記具Ｐに密着することを防ぐために、前記執筆校正具１０の上部面（図１の上部を形成する面）と接面する親指密着防止部１７と人差し指密着防止部１８が角状または湾曲状に形成されている。 
【００２９】
そして、前記中指置き部１４のうち前記親指置き部１１につながる部位が横方向に延設し、親指ｔを下方で支持する親指支持部１３が親指置き部１１の面に対して突設されている。
【００３０】
また、前記親指置き部１１、中指置き部１４、親指支持部１３の上に多数の通孔１５が形成される。これら多数の通孔１５は、長時間の筆記時または夏季などの暑さにより発生する汗を吸収する役割を果たす。
【００３１】
このとき、前記執筆校正具１０のボディを挿通孔Ｈが所定の角度をもって上方から下方へと対角線方向に貫通し、前記挿通孔Ｈの内周面上には摩擦突起１６がスパイラル状に上方から下方へと突設される（図３参照）。
【００３２】
前記摩擦突起１６は、前記挿通孔Ｈへの筆記具Ｐの容易な挿通及び筆記時における前記筆記具Ｐの上方への動き防止を行うために所定の摩擦力を前記筆記具Ｐに加えることにより、筆記具Ｐの遊動を防ぐ。
【００３３】
また、前記摩擦突起１６の形状には特に制限がなく、各種の形状が採用可能である。すなわち、前記摩擦突起１６は、多数の半円状、円状、棒状または網目構造の網状に形成でき、好ましくは、前記挿通孔Ｈへの筆記具Ｐの容易な挿入及び筆記時における筆記具Ｐの上方への動き防止が行えるような形状に形成される。
【００３４】
＜第２の実施例＞ 
図５、図５Ａ及び図５Ｂは、本発明の他の実施例に係る執筆校正具２０の斜視図であり、上述した第１の実施例のものから親指支持部１３が省かれている。 
【００３５】
具体的には、前記親指支持部１３は、大きな手を有する大人にはむしろ不便になる恐れがあり、前記親指支持部１３を省いて物資節約を図ることにより、製造コストを一層現実化させて安価な執筆校正具２０を提供できるという効果がある。 
【００３６】
また、親指置き部２１と人差し指置き部２２の上に多数のエンボス２５を形成することにより、滑り止め及び指圧効果を得ることができる。 
【００３７】
前記エンボス２５は各種の形状に形成可能である。すなわち、滑り止めの役割を極大化させるための形状は、人間の指上に形成された指紋状であることが好ましく、指圧を極大化させるための形状は、図示の如く、円錐状または半球状であることが好ましい。 
【００３８】
併せて、上記の第１の実施例による通孔１５を前記エンボス２５の間に均一に形成することもできる。
【００３９】
＜第３の実施例＞ 
図６は、本発明のさらに他の実施例に係る執筆校正具３０の斜視図であり、図７は、図６の執筆校正具３０の一側面を示す斜視図であって、筆記具Ｐが執筆校正具３０に締結される他の方式の構成を示す。
【００４０】
図６及び図７に示すの執筆校正具３０は、上記の第１及び第２の実施例における執筆校正具１０，２０を改善した構成であって、すなわち、執筆校正具３０のボディの一側面、すなわち、人差し指ｆが置かれる人差し指置き部３２と中指が置かれる中指置き部３４との間に、上記の第１及び第２の実施例における挿通孔を切開して筆記具Ｐの直径と同じＵ字状の切り欠き溝３６を形成することにより、筆記具Ｐを側方向に容易に挿入できるようにしている。
【００４１】
具体的には、前記執筆校正具３０は、前記切り欠き溝３６により形成されるガイド部３５と、前記ガイド部３５の上に形成され、前記切り欠き溝３６に挿入された前記筆記具Ｐが側方に抜け出ることを防ぐための係止爪３７と、を備える。 
【００４２】
好ましくは、前記切り欠き溝３６の内周面上に上記の第１の実施例における摩擦突起１６を形成することにより、筆記具Ｐの遊動を防ぐ。 
【００４３】
また、上記の第１及び第２の実施例における通孔１５、エンボス２５などを親指・人差し指置き部３１，３２の上に選択的に形成することもできる。 
【００４４】
＜第４の実施例＞ 
図８は、本発明のさらに他の実施例に係る執筆校正具４０の斜視図であり、図９は、図８の執筆校正具４０の底面図であって、図８及び図９に示す執筆校正具４０は、上記の第３の実施例のものから中指置き部３４を省き、執筆校正具４０の下端部を全て切開して挿通孔ＨをＵ字状の切り欠き溝４６にしたものである。すなわち、この執筆校正具４０は、製造コストを最も現実化させた実施例であり、子供よりは大人の方に適用して好適なものである。 
【００４５】
この執筆校正具４０は、上記の第３の実施例と同様に、前記切り欠き溝４６の内周面上に第１の実施例における摩擦突起１６を形成することにより、筆記具Ｐの遊動を防ぐことが好ましい。また、上記の第１及び第２の実施例における通孔１５、エンボス２５などを親指・人差し指置き部４１，４２の上に選択的に形成することができる。 
【００４６】
上記の第１ないし第４の実施例は、射出成形物ではなく、単一組成物により形成される。また、その材質としては、消しゴムを兼ねうるゴム材、天然ゴム材、弾性樹脂材または可撓性合成樹脂材を使用でき、このとき、弾性復元力を考慮した上で選択する。
【００４７】
＜第５の実施例＞ 
図１０は、本発明のさらに他の実施例に係る執筆校正具５０の分解斜視図であって、図１０に示す執筆校正具５０は合成樹脂製の射出成形物による組立体からなる。これによれば、筆記具の頻繁な着脱による変形率が小さく、各種の厚さの筆記具Ｐが使用可能であるというメリットを有する。 
【００４８】
具体的には、この執筆校正具５０は、外周面が人差し指ｆにより把持される第１のボディ５０ａと、外周面が親指ｔにより把持される第２のボディ５０ｂと、前記第１及び第２のボディ５０ａ，５０ｂの上方を締結して仕上げる第３のボディ５０ｃと、を備える。前記第３のボディは、第１のボディと第２のボディを結合することにより形成されるため、必要に応じては、第３のボディは第１及び第２のボディ上に形成しても良く、あるいは、これらを結合することにより形成しても良い。 
【００４９】
このとき、前記第１及び第２のボディ５０ａ，５０ｂの内周面上には凹部５１及びこの凹部５１に対応する凸部５２が形成されて嵌合される。
【００５０】
そして、前記第１のボディ５０ａの内周面上には支持部５６が形成され、前記支持部５６の両端には所定の長さだけ横方向に向けて係止片５７が延設されている。このとき、前記支持部５６には弾性部材が挿入される。具体的には、前記弾性部材は、所定の曲率半径を有する切り欠いた弧状の板バネ片５５よりなり、前記板バネ片５５の両端が前記係止片５７に係止される。 
【００５１】
前述したように前記前記板バネ片５５の下方には、所定の表面を有する板状の支持片５８が形成される。
【００５２】
さらに、前記第２のボディ５０ｂの内周面のうち前記板バネ片５５と前記支持片５８との間には非対称形のガイド翼５４が側方に突設されている。そして、前記第２のボディ５０ｂの前端と前記第１のボディ５０ａの後端にはそれぞれ挿通孔Ｈが穿孔され、この挿通孔Ｈに筆記具Ｐが挿抜される。 
【００５３】
筆記具Ｐの挿抜原理について述べると、前記第１のボディ５０ａの後端に形成された挿通孔Ｈを介して筆記具Ｐが挿入されれば、前記ガイド翼５４により前記板バネ片５５と支持片５８との間に筆記具Ｐがガイドされ、板バネ片５５により筆記具Ｐの外周面上に所定の加圧力が加えられた状態で前記支持片５８上に支持されて前記第２のボディ５０ｂの挿通孔Ｈに抜け出される。 
【００５４】
前記第１ないし第３のボディ５０ａ，５０ｂ，５０ｃ上には、所定の摩擦力を有するゴム材または弾性樹脂材が２重射出法などにより積層されてソフトな感触や高い摩擦力などを与えるための滑り止め層（図示せず）が形成されることが好ましい。
【図面の簡単な説明】
【００５５】
【図１】本発明の一実施例に係る執筆校正具の斜視図である。
【図２】図１の背面構成図である。
【図３】図２のＡ−Ａダッシュ線断面図である。
【図４】図１〜図３に示された執筆校正具の使用状態を示す例示図である。
【図５】本発明の他の実施例に係る執筆校正具の斜視図であり、Ａ及びＢはそれぞれ図５の一側と他側からの斜視図である。
【図６】本発明のさらに他の実施例に係る執筆校正具の斜視図である。
【図７】図６の執筆校正具の一側面を示す斜視図である。
【図８】本発明のさらに他の実施例に係る執筆校正具の斜視図である。
【図９】図８の執筆校正具の底面図である。
【図１０】本発明のさらに他の実施例に係る執筆校正具の分解斜視図である。
【図１１】正しい執筆姿勢を示す執筆姿勢図である。
【図１２】執筆の校正が望まれる執筆姿勢図である。
【符号の説明】
【００５６】
１０、２０、３０、４０、５０    執筆校正具
１１、２１、３１、４１    親指置き部
１２、２２、３２、４２    人差し指置き部
１３、５３    親指支持部
１４、２４、３４    中指置き部
１５    通孔
１６    摩擦突起
１７、２７、３９、４７    親指密着防止部
１８、２８、３８、４８    人差し指密着防止部
２５    エンボス
３５    ガイド部
３６、４６    切り欠き溝
３７    係止爪
５０ａ    第１のボディ
５０ｂ    第２のボディ
５０ｃ    第３のボディ
５１    凹部
５２    凸部
５４    ガイド翼
５５    板バネ片
５６    支持部
Ｈ    挿通孔
Ｐ    筆記具
ｔ    親指
ｆ    人差し指
ｍ    中指
【図１】
2006518679.tif 000003
【図２】
2006518679.tif 000004
【図３】
2006518679.tif 000005
【図４】
2006518679.tif 000006
【図５】
2006518679.tif 000007
【図５ａ】
2006518679.tif 000008
【図５ｂ】
2006518679.tif 000009
【図６】
2006518679.tif 000010
【図７】
2006518679.tif 000011
【図８】
2006518679.tif 000012
【図９】
2006518679.tif 000013
【図１０】
2006518679.tif 000014
【図１１】
2006518679.tif 000015
【図１２】
2006518679.tif 000016
【国際調査報告】
2006518679.tif 000017
2006518679.tif 000018